(57)【要約】【解決手段】  複数個の熱源用ランプ６ａ、６ｂのそれぞれがこれらの熱源用ランプ６ａ、６ｂの後位に配された反射板の仮想軸線をほぼループ状に取り囲んでおり、上記複数個の熱源用ランプ６ａ、６ｂのうちの一部の熱源用ランプ６ｂが点灯されている半点灯状態と、上記複数個の熱源用ランプの全部６ａ、６ｂが点灯されている全点灯状態とを選択することができる。【効果】  個々の熱源用ランプ６ａ、６ｂの定格消費電力が比較的小さくても、ヒータ全体としては比較的大きな熱を放出することができ、電気回路部分がかなり発熱して発火などの故障を生じる恐れがなく、全点灯状態または非点灯状態から半点灯状態への切換え操作も簡単であり、全点灯状態および半点灯状態のいずれにおいても、反射板の反射面が向いている方向の空間をまんべんなく暖めることができる。【選択図】図４
2005069627.tif 000002
【特許請求の範囲】
【請求項１】
複数個の熱源用ランプと、上記複数個の熱源用ランプの後位に配された反射板とを備え、
上記複数個の熱源用ランプのそれぞれが上記反射板の仮想軸線をほぼループ状に取り囲むように構成され、
上記複数個の熱源用ランプのうちの一部の熱源用ランプが点灯されている半点灯状態と、上記複数個の熱源用ランプの全部が点灯されている全点灯状態とを選択し得るように構成されたことを特徴とする熱源用ランプ組み込みヒータ。
【請求項２】
上記複数個の熱源用ランプが２個であり、
これら２個の熱源用ランプのうちの一方の熱源用ランプによって囲まれる内側空間に、この一方の熱源用ランプよりも一回り小さい他方の熱源用ランプがほぼ配置されたことを特徴とする請求項１に記載の熱源用ランプ組み込みヒータ。
【請求項３】
支柱上に支持されたランプ支持部にランプカバー、上記複数個の熱源用ランプおよび上記反射板が前方から後方に向って順次取付け配置され、
ガード用ネットが、上記ランプカバーおよび上記複数個の熱源用ランプを前方から包囲しかつ上記反射板の反射面に対向するように、上記反射板に取付けられ、
上記複数個の熱源用ランプのそれぞれがハロゲンランプから構成されたことを特徴とする請求項１または２に記載の熱源用ランプ組み込みヒータ。
【請求項４】
上記支柱が、固定側の支柱と、この固定側支柱に沿って昇降することができる可動側の支柱とを備え、
上記可動側支柱の上端部に支持台部がほぼ上下方向に首振り可能に取付けられ、
上記支持台部に上記ランプ支持部がほぼ水平方向に首振り可能に支持され、
上記ランプ支持部に上記熱源用ランプが取付けられたことを特徴とする請求項３に記載の熱源用ランプ組み込みヒータ。
【発明の詳細な説明】
【技術分野】
【０００１】
本発明は、ハロゲンランプなどの熱源用ランプと、上記熱源用ランプの後位に配された反射板とを備えた熱源用ランプ組み込みヒータに関するものである。
【背景技術】
【０００２】
ハロゲンランプが装着された扇風機型暖房装置（すなわち、扇風機型ハロゲンランプヒータ）が従来から知られている。このような扇風機型ハロゲンランプヒータにおいては、図６に要部を示すように、支柱３上に支持されたランプ支持部５にランプカバー、ほぼループ状のハロゲンランプ６およびパラボラ型反射板８が前方から後方に向って順次取付け配置されている。そして、前方に突出したほぼ椀形状のガード用ネットが、ランプカバーおよびハロゲンランプ６を前方から包囲しかつ反射板８の反射面７に対向するように、反射板８に取付けられている。この図６において、３９はランプホルダである。したがって、上記公知の扇風機型ハロゲンランプヒータによれば、このヒータが配置されている部屋を少ない消費電力で短時間のうちにまんべんなく暖めることができ、また、火災、火傷などに対する安全性も高い。
【特許文献１】実用新案登録第３０７８５３９号公報
【発明の開示】
【発明が解決しようとする課題】
【０００３】
しかし、上述のように構成された図６に示す公知の扇風機型ハロゲンランプヒータにおいては、定格使用電力を大きくする必要のある１個のハロゲンランプ６に単に電源を供給するだけであれば、ハロゲンランプ６の非点灯状態と一種類の点灯状態とが得られるだけである。したがって、ハロゲンランプ６の点灯状態ではこのヒータが配置されている部屋が暖まりすぎるときには、ハロゲンランプ６を非点灯状態にしなければならないので、この部屋の温度調整が難しい。
【０００４】
そこで、図６に示す公知の扇風機型ハロゲンランプヒータに図７に示す電気回路を組み込むことが考えられる。この図７に示す電気回路は、従来から一般的に知られているハロゲンランプ６の点灯のための電気回路において、ハロゲンランプ６の一端と一方の電源端子との間にダイオード５１と切換えスイッチ５２とから成る並列回路が接続されたものである。この図７において、１２は後述の実施例１の場合のような首振り用モータ、２２は後述の実施例１の場合のような電源スイッチ兼用のタイマースイッチ、２４は後述の実施例１の場合のような首振りスイッチ、４１はＡＣ電源、４２はヒューズ、４３は進相コンデンサである。
【０００５】
したがって、電源スイッチ兼用のタイマースイッチ２２がオン状態のときに、切換えスイッチ５２を手動にて操作してダイオード５２のカソード端子に一方の電源端子を接続すると、ＡＣ電源４１からの半波分だけがハロゲンランプ６に継続して供給される。また、切換えスイッチ５２を手動にて操作してハロゲンランプ６の一端に直接接続すると、ＡＣ電源４１からの全波分がハロゲンランプ６に継続して供給される。このために、前者の場合には、後者の場合に較べて、ハロゲンランプ６がほぼ半分の消費電力で点灯されるので、後者の場合に較べて、部屋に放出される熱は少なくなる。しかし、図７に示す電気回路の場合には、ダイオード５１がかなり発熱するので、ダイオード５１自体の故障（発火など）が多くて実用性に問題がある。
【０００６】
そこで、図８に示すように、図６に示す公知の扇風機型ハロゲンランプヒータにおいて、ハロゲンランプ６として互にほぼ同形でかつそれぞれほぼループ状の一対のハロゲンランプヒータ６ａ、６ｂを全体としてほぼ８字形状に配置したものを用いることが考えられる。この場合、一対のハロゲンランプ６ａ、６ｂは、反射板８の仮想軸線上の一点を対称の中心として互に点対称に配置されている。また、この図８において、３９はほぼＴ字形状のランプホルダである。
【０００７】
この図８に示す扇風機型ハロゲンランプヒータに組み込まれる電気回路としては、図９に示すものが考えられる。この図９に示す電気回路は、図７に示す電気回路において、ハロゲンランプ６の構成と切換えスイッチ５２の構成とを変更したものである。
【０００８】
したがって、電源スイッチ兼用のタイマースイッチ２２がオン状態のときに、切換えスイッチ２３を手動にて操作して後述の実施例１の場合のように切換えることによって、下側のハロゲンランプ６ｂのみが通電されて点灯する半点灯状態と、上側および下側のハロゲンランプ６ａ、６ｂの両方が通電されて点灯する全点灯状態とを択一的に得ることができる。
【０００９】
しかし、図８および図９に示す扇風機型ハロゲンランプヒータの場合には、下側のハロゲンランプ６ｂのみが点灯している半点灯状態においては、ハロゲンランプ６ｂから放射される遠赤外線のみが反射板８の反射面７の前方の空間に放射される。したがって、全点灯状態の場合とは異なって、この前方空間のうちの上方部分に放射される遠赤外線が少なすぎるので、全点灯状態の場合のように、このヒータが配置されている部屋の上方部分と下方部分とをまんべんなく暖めることができない。
【００１０】
本発明は、図６および図７に示す扇風機型ハロゲンランプヒータならびに図８および図９に示す扇風機型ハロゲンランプヒータの上述のような欠点を簡単な構成により効果的に是正し得るようにしたものである。
【課題を解決するための手段】
【００１１】
本発明は、複数個の熱源用ランプと、上記複数個の熱源用ランプの後位に配された反射板とを備え、上記複数個の熱源用ランプのそれぞれが上記反射板の仮想軸線をほぼループ状に取り囲むように構成され、上記複数個の熱源用ランプのうちの一部の熱源用ランプが点灯されている半点灯状態と、上記複数個の熱源用ランプの全部が点灯されている全点灯状態とを選択し得るように構成された熱源用ランプ組み込みヒータに係るものである。
【００１２】
なお、本発明においては、上記複数個の熱源用ランプが２個であり、これら２個の熱源用ランプのうちの一方の熱源用ランプによって囲まれる内側空間に、この一方の熱源用ランプよりも一回り小さい他方の熱源用ランプがほぼ配置されているのが好ましい。また、本発明においては、支柱上に直接または間接的に支持されたランプ支持部にランプカバー、上記複数個の熱源用ランプおよび上記反射板が前方から後方に向って順次取付け配置され、ガード用ネットが、上記ランプカバーおよび上記複数個の熱源用ランプを前方から包囲しかつ上記反射板の反射面に対向するように、上記反射板に取付けられ、上記複数個の熱源用ランプのそれぞれがハロゲンランプから構成されているのが好ましい。さらに、本発明においては、上記支柱が、固定側の支柱と、こと固定側支柱に沿って昇降することができる可動側の支柱とを備え、上記可動側支柱の上端部に支持台部がほぼ上下方向に首振り可能に取付けられ、上記支持台部に上記ランプ支持部がほぼ水平方向に首振り可能に支持され、上記ランプ支持部に上記熱源用ランプが取付けられているのが好ましい。
【発明の効果】
【００１３】
本発明によれば、熱源用ランプを複数個設けて、これら複数個の熱源用ランプの全部が点灯されている全点灯状態を選択し得るようにしたから、個々の熱源用ランプの定格消費電力が比較的小さくても、ヒータ全体としては比較的大きな熱を放出することが可能である。
【００１４】
また、複数個の熱源用ランプのうちの一部の熱源用ランプが点灯されている半点灯状態も選択し得るようにしたから、電気回路部分がかなり発熱して発火などの故障を生じる恐れがなく、また、全点灯状態または非点灯状態から半点灯状態への切換え操作も簡単である。
【００１５】
さらに、複数個の熱源用ランプのそれぞれがそれらの後位に配された反射板の仮想軸線をほぼループ状に取り囲むように構成したから、全点灯状態および半点灯状態のいずれにおいても、反射板の反射面が向いている方向の空間をまんべんなく暖めることができる。
【００１６】
また、請求項２に記載の発明によれば、外側の熱源用ランプおよび内側の熱源用ランプからそれぞれ放射される元来有効な光線は、他方の熱源用ランプによってほとんど干渉されることなく、反射板の反射面が向いている方向の空間にほぼそのまま有効に放射され、このために、ヒータが配置されている部屋を少ない消費電力で短時間に暖めることができるとともに、複数個の熱源用ランプ全体の厚みが小さいから、スペースファクタが良好である。
【００１７】
また、請求項３に記載の発明によれば、上記公知の扇風機型ハロゲンランプヒータの場合と同様に、このヒータが配置されている部屋をさらに少ない消費電力でさらに短時間のうちにまんべんなく暖めることができ、また、火災、火傷などに対する安全性も高い。
【００１８】
また、請求項４に記載の発明によれば、反射板の高さ位置、上下方向の向きおよび左右方向の向きを簡単に調整することができるので、上記部屋のうちの特に暖めたい空間を簡単な操作でもって容易に設定することができる。
【発明を実施するための最良の形態】
【００１９】
つぎに、本発明を座敷用扇風機型のハロゲンランプヒータに適用した一実施例を図１〜図５を参照して説明する。
【実施例１】
【００２０】
図１〜図５に示す座敷用扇風機型ハロゲンランプヒータ１は、図１〜図４に示すように、ハロゲンランプ部分の具体的構成が異なることを除いて、従来から一般的に知られている座敷用扇風機型のハロゲンランプヒータ（換言すれば、熱源用ランプとしてハロゲンランプが装着された暖房機）と実質的に同一の構造であってよい。したがって、ハロゲンランプヒータ１は、図１および図２に示すように、
（ａ）基台２、
（ｂ）基台２上に立設された支柱（すなわち、スタンド）３、
（ｃ）支柱３の上端部に支持台部４を介して取付け支持されたランプ支持部５、
（ｄ）ランプ支持部５を包囲するように、このランプ支持部５に取付け支持された熱源用ランプとしてのほぼループ状のハロゲンランプ６、
（ｅ）パラボラ型（すなわち、ほぼ回転放物面の形状）などの湾曲した凹面形状の反射面７がハロゲンランプ６の後面側に対向するように、ハロゲンランプ６の後位においてランプ支持部５に取付け支持された反射板８、
（ｆ）その後面に設けられた反射面９がハロゲンランプ６の前面側に対向するように、ハロゲンランプ６の前位においてランプ支持部５に取付け支持された前方に突出するほぼ皿形状のランプカバー１０、
（ｇ）ランプカバー１０およびハロゲンランプ６を前方から包囲しかつ反射板８の反射面７に対向するように、反射板８の外周囲に取付け支持された前方に突出するほぼ椀形状のガード用ネット１１、
をそれぞれ備えている。
【００２１】
支柱３は、図１および図２に示すように、首振り用のモータ１２（図５参照）が内蔵されたランプ支持部５を支持台部４を介して支持している。また、ハロゲンランプ６は、ランプ支持部５を取り囲むように、切れ目１３を１ヶ所（または複数ヶ所）有するほぼリング状のものであってよい（図４参照）。また、熱源用ランプ（ハロゲンランプ）としては、遠赤外線を多量に放出することができる遠赤外線ランプ（換言すれば、遠赤外線加熱ユニット）６が用いられるのが好ましい。また、ガード用ネット１１は、中央連結部材１４と、外周縁部材１５と、これらの中央連結部材１４と外周縁部材１５との間に放射方向に延びるように張り渡された多数のワイヤ１６とから成っていてよい。さらに、ランプカバー１０は、ランプ支持部５の前面に取付けられたねじ棒１７と、このねじ棒１７にねじ込まれたナット１８とによって、ランプ支持部５に取付けることができる。
【００２２】
基台２の上面板部２１には、図１および図５に示すように、電源スイッチ兼用のタイマースイッチ２２、一対のハロゲンランプ６ａ、６ｂに対する通電状態を切換えるための切換えスイッチ２３および首振りスイッチ２４が設けられていてよい。なお、電源スイッチ兼用のタイマースイッチ２２は、回動操作式であってよく、切（電源オフ）、連続（電源連続オン）およびタイマー（設定時間だけ電源オン）の操作を手動で行えるようになっている。また、切換えスイッチ２３は、回動操作式であってよく、切（一対のハロゲンランプ６ａ、６ｂの両方をオフ）、半点灯（一対のハロゲンランプ６ａ、６ｂのうちの一方のランプ６ｂのみオン）および全点灯（一対のハロゲンランプ６ａ、６ｂの両方をオン）の操作を手動で行えるようになっている。また、首振りスイッチ２４は、プッシュ・プッシュ式オン・オフ・スイッチであってよく、首振り停止状態および首振り動作状態の操作を手動で行えるようになっている。
【００２３】
図１および図２に示すランプ支持部５は、従来から一般的に知られているように、ほぼ垂直方向に延びる回転軸（図示せず）の回りを支持台部４に対して往復回動（すなわち、水平方向に首振り）できるようになっていてよい。そして、上述の首振りスイッチ２４を手動により操作することによって、ランプ支持部５（ひいては、ハロゲンランプ６、反射板８、ランプカバー１０、ガード用ネット１１および首振り用モータ１２）が水平方向における首振り動作を継続的に行ったり、水平方向における首振り動作を行わなかったりする。また、支持台部８（ひいては、ランプ支持部５、ハロゲンランプ６、反射板８、ガード用ネット１２など）は、従来から一般的に知られているように、手動により支柱３に対して上下方向に往復回動（すなわち、垂直方向に首振り）させることができるようになっていてよい。このために、支持台部４は、図２に示すように、支持軸２５によって支柱３（具体的には、後述の可動側支柱３２）の上端部に上下方向に往復回動可能に軸支されている。
【００２４】
支柱３は、図１および図２に示すように、基台２上にその下端部を結合された下側（すなわち、固定側）の支柱３１と、この固定側の支柱３１に昇降可能に取付けられた上側（すなわち、可動側）の支柱３２とを備えている。そして、可動側支柱３２の上端部には、支持軸２５によって支持台部４が取付けられている。
【００２５】
熱源用ランプとしてのハロゲンランプ６は、図３〜図５に示すように、一対のほぼループ状のハロゲンランプ６ａ、６ｂから成っている。そして、これら一対のハロゲンランプのうちの一方（すなわち、外側）のほぼループ状のハロゲンランプ６ａによって囲まれているほぼ円形の内側空間３３には、他方（すなわち、内側）のほぼループ状のハロゲンランプ６ｂが配置されている。換言すれば、外側のハロゲンランプ６ａのほぼループ状の内周囲にほぼ沿って内側のハロゲンランプ６ｂのほぼループ状の外周囲が延びている。また、内側ハロゲンランプ６ｂは、外側ハロゲンランプ６ａをその径方向（すなわち、仮想軸線４４から放射状に延びる方向）において一回り小さくしたこれとほぼ相似形状であってよく、さらに、外側ハロゲンランプ６ａとほぼ同一平面（すなわち、仮想軸線４４とほぼ直交する平面）上にほぼ同心状で配置されていてよい。換言すれば、内側ハロゲンランプ６ｂの側方から見た前面側および後面側のエンベロープ（包絡線）は、外側ハロゲンランプ６ａの側方から見た前面側および後面側のエンベロープとそれぞれほぼ重なっていてよい。
【００２６】
したがって、外側ハロゲンランプ６ａから上記径方向内方にほぼ向かう光線と、内側ハロゲンランプ６ｂから上記径方向外方にほぼ向かう光線とは、内側ハロゲンランプ６ｂおよび外側ハロゲンランプ６ａによってそれぞれ干渉される。しかし、外側および内側ハロゲンランプ６ａ、６ｂからそのほぼ前方およびほぼ後方に向かう光線は、いずれも、他方のハロゲンランプによって干渉されることはない。よって、外側および内側ハロゲンランプ６ａ、６ｂからそれぞれ放射される元来有効な光線は、ほぼそのまま有効に反射板８の反射面７の前方の空間に放射される。
【００２７】
外側および内側のハロゲンランプ６ａ、６ｂは、図３〜図５に示すように、切れ目１３ａ、１３ｂを有するほぼ円形状のランプ本体部３４ａ、３４ｂと、これらのランプ本体部３４ａ、３４ｂの両端からほぼ径方向外方にそれぞれ延びる一対ずつの口金取付け部３５ａ、３５ｂと、これら一対ずつの口金取付け部３５ａ、３５ｂに取付け固定された一対ずつの口金３６ａ、３６ｂとを備えている。そして、これらの口金３６ａ、３６ｂには、リード線３７の一端がそれぞれ接続されている。また、ランプ支持部５の前面には、接続端子３８が設けられ、これらの接続端子３８には、上記リード線３７の他端がそれぞれ接続されている。そして、ランプ支持部５には、例えばほぼＵ字形状の１つまたは複数のランプホルダ３９が取付け支持され、これらのランプホルダ３９のそれぞれには、外側および内側のハロゲンランプ６ａ、６ｂがそれぞれ弾性的に挟持されている。
【００２８】
図５には、図１および図２に示すハロゲンランプヒータ１の電気回路図が示されている。なお、この図５に示す電気回路は、従来から一般的に知られているハロゲンランプ６の点灯のための電気回路において、ハロゲンランプ６を一対のハロゲンランプから構成するとともに、切換えスイッチ２３を設けたものである。また、この図５に示す電気回路において、４１はＡＣ電源、４２はヒューズ、４３は進相コンデンサである。そして、切換えスイッチ２３が図５に示す状態に切換えられているときには、外側および内側のハロゲンランプ６ａ、６ｂはいずれも通電されないので点灯しない。また、切換えスイッチ２３の切換え状態に応じて、内側のハロゲンランプ６ｂのみが通電されて点灯する半点灯状態と、外側および内側のハロゲンランプ６ａ、６ｂの両方が通電されて点灯する全点灯状態とを択一的に得ることができる。
【００２９】
上述のように構成されたハロゲンランプヒータ１によれば、電源スイッチ兼用のタイマースイッチ２２および切換えスイッチ２３を操作することによって、従来から知られているようにハロゲンランプ６が点灯する。そして、切換えスイッチ２３の切換え状態に応じて、内側のハロゲンランプ６ｂのみが点灯するか、あるいは、外側および内側のハロゲンランプ６ａ、６ｂの両方が点灯する。そして、ハロゲンランプ６から放射された遠赤外線は、直接またはランプカバー１０の反射面９に反射された後に反射板８の反射面７に反射されるので、この反射面７の前方の空間に放射される。
【００３０】
この場合、外側および内側のハロゲンランプ６ａ、６ｂは、ランプ支持部５を取り囲むように、ランプ支持部５（換言すれば、反射板８およびランプカバー１０）のほぼ水平方向に延びる仮想軸線４４（図２参照）を中心としてほぼループ状（具体的には、ほぼ円形状）である。したがって、上述のように反射板８の反射面７の前方の空間に放射される遠赤外線は、仮想軸線４４の回りで上下方向および左右方向のいずれにもほぼ均一に放射される。そして、ハロゲンランプヒータ１が配置されている部屋が遠赤外線による熱によって暖められるので、この部屋の空気は自然対流する。また、首振りスイッチ２４を操作することによって、従来から一般的に知られているようにランプ支持部５、ハロゲンランプ６ａ、６ｂ、反射板８、ランプカバー１０、ガード用ネット１１などに水平方向の首振り動作を行わせることができるので、上述のような空気の自然対流がさらに効果的に行われる。
【産業上の利用可能性】
【００３１】
以上において、本発明の一実施例について詳細に説明したが、本発明は、この実施例に限定されるものではなく、特許請求の範囲に記載された発明の趣旨に基づいて各種の変更および修正が可能である。
【００３２】
例えば、上述の実施例においては、熱源用ランプとしてハロゲンランプ６ａ、６ｂを用いたが、ハロゲンランプ６ａ、６ｂ以外の他の赤外線ランプ、その他の熱源用ランプを用いることができる。
【００３３】
また、上述の実施例においては、一対の熱源用ランプのうちの一方の熱源用ランプ６ａによって囲まれる内側空間３３に他方の熱源用ランプ６ｂを配置するようにした。しかし、一方の熱源用ランプ６ａよりも一回り小さいが上記内側空間３３に配置し得ないように多少大きく構成した他方の熱源用ランプ６ｂを一方の熱源用ランプ６ａとは前後方向に多少ずらして（側方から見た一対のランプ全体のエンベロープがほぼ円錐台形状になるように）配置してもよく、また、他方の熱源用ランプ６ｂを一方の熱源用ランプ６ａとほぼ同形状にして一方の熱源用ランプ６ａの前側または後側にこれと隣接させて（側方から見た一対のランプ全体のエンベロープがほぼ長方形状になるように）配置するようにしてもよい。要するに、第１のほぼループ状の熱源用ランプ６ａにほぼ沿って第２の熱源用ランプ６ｂがほぼループ状に延びていればよく、さらに、熱源用ランプは３個またはそれ以上であってもよい。そして、熱源用ランプが３個の場合には、第３の熱源用ランプは、第１および／または第２のほぼループ状の熱源用ランプ６ａ、６ｂにほぼ沿ってほぼループ状に延びていればよく、例えば、第２の熱源用ランプ６ｂに対するその位置関係が上述の実施例１における第１の熱源用ランプ６ａに対する第２の熱源用ランプ６ｂの位置関係と同様であってよい。
【００３４】
また、上述の実施例においては、熱源用ランプ６ａ、６ｂのランプ本体部３４ａ、３４ｂをほぼ円形状に構成したが、ほぼ６角形状などのほぼ多角形状、その他のほぼループ状であってもよい。
【００３５】
また、上述の実施例においては、ほぼループ状の外側熱源用ランプ６ａの切れ目１３ａがほぼループ状の内側熱源用ランプ６ｂの切れ目１３ｂとほぼ前後方向において対応しているが、両者は必ずしもほぼ前後方向において互に対応している必要はなく、例えば、前者がほぼ前後方向において後者とはほぼ１８０°ずれた位置に設けられていてもよい。
【００３６】
さらに、上述の実施例においては、本発明を座敷用扇風機型のハロゲンランプヒータ１に適用したが、卓上用扇風機型のハロゲンランプヒータ、洋間用扇風機型のハロゲンランプヒータなどの別の種類の扇風機型のハロゲンランプヒータ、あるいは、これらのヒータ以外の、熱源用ランプ組み込みヒータ（すなわち、暖房機）にも同様に適用することができる。
【図面の簡単な説明】
【００３７】
【図１】本発明を座敷用扇風機型ハロゲンランプヒータに適用したハロゲンランプヒータ全体の斜視図である。（実施例１）
【図２】図１に示すハロゲンランプヒータ全体の部分的に縦断した左側面図である。（実施例１）
【図３】図１に示すハロゲンランプヒータの、ガード用ネットおよびランプカバーを取り除いた状態における反射板部分の斜視図である。（実施例１）
【図４】図３に示すハロゲンランプ部分の正面図である。（実施例１）
【図５】図１に示すハロゲンランプヒータの電気回路図である。（実施例１）
【図６】従来のハロゲンランプヒータの、ガード用ネットおよびランプカバーを取り除いた状態における反射板部分の斜視図である。（従来例１）
【図７】図６に示すハロゲンランプヒータに適用し得るの電気回路図である。（従来例１の変形例１）
【図８】図６に示すものを変形した別のハロゲンランプヒータの、ガード用ネットおよびランプカバーを取り除いた状態における反射板部分の斜視図である。（従来例１の変形例２）
【図９】図８に示すハロゲンランプヒータに適用し得る電気回路図である。（従来例１の変形例２）
【符号の説明】
【００３８】
１        座敷用扇風機型ハロゲンランプヒータ（熱源用ランプ組み込みヒータ）
３        支柱
４        支持台部
５        ランプ支持部
６        ハロゲンランプ
６ａ      ハロゲンランプ
６ｂ      ハロゲンランプ
８        反射板
１０      ランプカバー
１１      ガード用ネット
３１      固定側支柱
３２      可動側支柱
３３      内側空間
【図１】
2005069627.tif 000003
【図２】
2005069627.tif 000004
【図３】
2005069627.tif 000005
【図４】
2005069627.tif 000006
【図５】
2005069627.tif 000007
【図６】
2005069627.tif 000008
【図７】
2005069627.tif 000009
【図８】
2005069627.tif 000010
【図９】
2005069627.tif 000011